(57)【特許請求の範囲】
【請求項１】
左右に延長する第１の畦と前後方向に延長する第２の畦とによって仕切られた水田の節水型漏水防止構造であって、
該水田は、前後に所要間隔を置いて配設された前記第１の畦間を、左右方向所要間隔毎に前記第２の畦で仕切ることによって、前後左右の縁が畦部で仕切られた単位水田が左右方向に並設されてなり、
各単位水田は、その後部に、該単位水田に所定水位に水を供給する給水制御装置が設けられ、又、前に位置する前記第１の畦の外側部に沿って排水路が設けられており、該単位水田の水が、前の畦部に設けた排水部より該排水路に排出されるようになされており、
又、該単位水田における前の畦部の内側部に、その全長に亘る如く、前記単位水田の作土層の下側に存する、粘土層からなる鋤床層に下端側の部分が埋設状態となる止水面部が、該前の畦部の上端側から該鋤床層の内部に亘って設けられると共に、前記排水路には堰上げ板が所要間隔を置いて設けられており、該排水路内の水が、該堰上げ板によって、その水面が前記作土層の下端となるように堰上げされるようになされており、又、該排水路は、該堰上げされた水の水面より下側部分で地盤に開放状態とされ、前記単位水田と前記排水路とは、前記鋤床層の下端の下側部分をなす透水層を介して通水状態とされていることを特徴とする水田の節水型漏水防止構造。
【請求項２】
前記止水面部は、下端側の部分が前記鋤床層に埋設状態となるように打ち込むことのできる板状の止水パネルとして形成されていることを特徴とする請求項１記載の水田の節水型漏水防止構造。
【請求項３】
前記給水制御装置は、前記水田に水を供給する農業用水パイプラインに接続されており、供給水量を積算し得る供給水量積算装置を具備すると共に、前記単位水田への必要な供給水量を手動で入力してセットした後にバルブを開放すると該セットした水量を供給でき、その後に該バルブが自動閉止する半自動給水栓バルブを具備することを特徴とする請求項１記載の水田の節水型漏水防止構造。
【発明の詳細な説明】
【技術分野】
【０００１】
本発明は、水田の貯留水が漏水するのを抑制できると共に水田への水の供給を一定に制御できるように構成された水田の節水型漏水防止構造に関するものである。
【背景技術】
【０００２】
水田では、代掻きや田植えの時期に施肥や農薬散布が行われるため、水田の貯留水は肥料や農薬を含んだ濁水状態にある。又、田植えから秋の収穫までの間にも施肥や農薬散布が適宜行われている。かかることから、水田の貯留水中には豊富なチッソやリン等の肥料成分、農薬が存在した状態となっている。
【０００３】
そして、水田を囲む畦は土構造物であることから、畦に沿って設けられている排水路には、水田の貯留水が該畦を通じて漏水しやすかった。又、このような土構造の畦は、モグラやザリガニ等の小動物によって孔部が明けられるケースも多く、この孔部から排水路等に漏水する問題もあった。更に、該排水路は降雨時以外はほとんど水位もない状態であるため、水田の貯留水が水田の底部分を通じて排水路等に漏水することもあった。
【０００４】
このような漏水が生ずると、該貯留水に含まれているチッソやリン等の肥料成分や農薬が排水路に流入して下流側に流れることになるため、排水路末端の湖沼等における水質汚染の問題が深刻化していた。又、このように水田の貯留水が畦や水田の底部分を通じて排水路等に漏水することは、農業用水の無駄遣いになるばかりでなく、かかる無駄な漏水分を補うために用水ポンプを不必要に稼動させなければならず、用水ポンプの稼働に要する電力消費量が増大して経済的負担が上昇する問題もあった。
【０００５】
かかることから、排水路の下流側への汚濁物質の流出を抑制して水田による環境汚染や生態系の破壊を防止するために、又、農業用水の無駄遣いを削減すると共に用水ポンプの稼働に伴う電力消費量を低減させるために、効果的な漏水防止手段が望まれていた。
【０００６】
そこで、かかる水田の漏水防止を図るための手段として、例えば、実用新案登録第３００６５３９号公報が開示する水漏れ防止枠板を用いた漏水防止構造が提案されている。該漏水防止構造は、図２３に示すように、畦ａの内側部を覆うように水漏れ防止枠板ｂを固定することによって水田の貯留水が漏水するのを防止せんとするものであった。この種の漏水防止構造によるときは、モグラやザリガニ等の小動物が明けた孔部から漏水する等の畦部分ｃを通じての漏水を該水漏れ防止枠板ｂの止水作用によって防止することはできても、水田の底部分ｄを浸透しての漏水を防止することはでき難いものであった。
【０００７】
【特許文献１】実用新案登録第３００６５３９号公報
【発明の開示】
【発明が解決しようとする課題】
【０００８】
本発明は、前記従来の問題点に鑑みて開発されたものであり、水田の畦を通じての漏水を防止できるだけでなく、水田の底部分を通じての漏水も抑制でき、水田の貯留水に含まれているチッソやリン等の肥料成分や農薬が下流側に排水されることに伴う湖沼等の環境汚染や生態系破壊の問題を軽減させ得ると共に、農業用水の無駄遣いを削減して水資源の有効活用を達成させる水田の節水型漏水防止構造の提供を課題とするものである。
【課題を解決するための手段】
【０００９】
前記課題を解決するため、本発明は以下の手段を採用する。
即ち本発明に係る水田の節水型漏水防止構造は、左右に延長する第１の畦と前後方向に延長する第２の畦とによって仕切られた水田の漏水防止構造であって、該水田は、前後に所要間隔を置いて配設された前記第１の畦間を、左右方向所要間隔毎に前記第２の畦で仕切ることによって、前後左右の縁が畦部で仕切られた単位水田が左右方向に並設されてなる。各単位水田は、その後部に、該単位水田に所定水位に水を供給する給水制御装置が設けられている。又、前に位置する前記第１の畦の外側部に沿って排水路が設けられており、該単位水田の水が、前の畦部に設けた排水部より該排水路に排出されるようになされている。又、該単位水田における前の畦部の内側部に、その全長に亘る如く、前記単位水田の作土層の下側に存する、粘土層からなる鋤床層に下端側の部分が埋設状態となる止水面部が、該前の畦部の上端側から該鋤床層の内部に亘って設けられると共に、前記排水路には堰上げ板が所要間隔を置いて設けられており、該排水路内の水が、該堰上げ板によって、その水面が前記作土層の下端となるように堰上げされるようになされている。又、該排水路は、該堰上げされた水の水面より下側部分で地盤に開放状態とされ、前記単位水田と前記排水路とは、前記鋤床層の下端の下側部分をなす透水層を介して通水状態とされていることを特徴とするものである。
【００１０】
前記鋤床層の下端は、例えば、前記鋤床層の上端から３０〜３５ｃｍ下方の端に設定される。
【００１１】
前記水田の節水型漏水防止構造において、前記止水面部は、下端側の部分が前記鋤床層に埋設状態となるように打ち込むことのできる板状の止水パネルを以て構成するのがよい。
【００１２】
又、前記水田の節水型漏水防止構造において、前記給水制御装置は、前記水田に水を供給する農業用水パイプラインに接続されており、供給水量を積算し得る供給水量積算装置を具備すると共に、前記単位水田への必要な供給水量を手動で入力してセットした後にバルブを開放すると該セットした水量を供給でき、その後に該バルブが自動閉止する半自動給水栓バルブを具備したものとして構成するのがよい。該半自動給水栓バルブは、農業用水パイプラインの水圧が低くても機能するように構成される。
【発明の効果】
【００１３】
(1) 本発明に係る水田の節水型漏水防止構造は、前記止水面部が、前の畦部の上端側から鋤床層の内部に亘って配設されており、又、水田の第１の畦の外側部に沿って設けられた排水路内の水が、堰上げ板によって、その水面が前記鋤床層の下端よりも上方に存するように堰上げされており、該排水路は、該堰上げされた水の水面より下側部分で地盤に開放状態とされ、又、単位水田と排水路とは、前記鋤床層の下端の下側部分をなす透水層を介して通水状態とされている。
【００１４】
従って本発明によるときは、前記止水面部によって、単位水田内の貯留水が前の畦部を透水して漏水するのを防止でき、小動物が畦部に明けた孔部から排水路等に漏水するのを防止できると共に、前記前の畦部と単位水田の境界部分を透水して排水路等に漏水するのを防止できるのはもとより、前記排水路における隣り合う堰上げ板間の貯水の圧力ヘッドによって、単位水田内の貯留水が前記鋤床層を透水して該排水路等に漏水するのを抑制できる。本発明によるときは、これらの漏水防止作用が相俟って、水田の貯留水の漏水を抑制できることになり、農業用水の無駄遣いを防止できると共に、用水ポンプの稼働に伴う電力消費量を減じて稲作のコスト低減を期し得ることとなる。
【００１５】
加えて、このように水田の貯留水の漏水を抑制できることから、該漏水に伴い排水路に流入するチッソやリン等の肥料成分や農薬の量を減少させることができる。しかも、排水路には前記のように所要間隔で堰上げ板が設けられているため、排水路に流入した肥料成分や農薬等の多くの部分を堰上げ板間の底部に沈殿させることができる。従ってこの沈殿物を定期的に除去することにより、これらの含有量の少ない上水を下流側に流すことができ、排水路の下流側における湖沼等の水質汚染等の環境問題を軽減させ得ることとなる。  
【００１６】
(2) 又、単位水田に所定水位に水を供給する給水制御装置を設けるため、水田への無駄な給水を防止した経済的な稲作を行なうことができる。特に、前記給水制御装置として、供給水量積算装置と半自動給水栓バルブを具備する装置を採用したときは、単位水田への必要な給水量を手動で入力（手動でダイヤルを回して目盛りセットしたり、手動でデジタル入力するする等）してセットした後にバルブを開放すると、該セットした水量を供給後に該バルブを自動閉止させることができると共に、稲作シーズンの始めからの総供給水量を積算して確認できるため、水田への給水制御をより効率的にしかも的確に行ない得ることとなる。
【００１７】
(3) 前記止水面部を、下端側の部分を鋤床層に打ち込むことのできる板状の止水パネルを用いて構成するときは、可撓性のシートや樹脂板等を用いて該止水面部を構成する場合に比し、該止水パネルの打ち込みによって止水面部を能率的に施工できる利点がある。
【００１８】
(4) 特に、前の畦部に設ける排水部と、前記排水路とに、前記のように魚道機能を付加するときは、魚類を河川や湖沼等から排水路を遡上させて排水部が存する場所に至らせることができ、更に、該排水部を遡上させて単位水田に至らせることができる。これにより、該単位水田を、魚類の産卵、繁殖、育成の場として活用できることともなり、生態系に配慮した稲作を展開できることになる。
【実施例１】
【００１９】
図１〜２において本発明に係る水田の節水型漏水防止構造１は、左右に延長する第１の畦２と、前後方向に延長する第２の畦３とによって区画された水田５における節水型の漏水防止構造であって、該水田５は、前後に所要間隔を置いて配設された前記第１の畦２，２間を、左右方向所要間隔毎に前記第２の畦３で仕切ることによって、前後左右の縁が畦部６，７，９，１０で仕切られた単位水田１１が左右方向に並設されている。そして、各単位水田１１の後部、即ち後の畦部７に、図２に示すように、該単位水田１１に所定水位に水を供給する給水制御装置１２が設けられている。又図３〜９に示すように、前の畦部６の内側部４に、その全長に亘る如く止水面部８が設けられると共に、前記第１の畦２ａ（図１）の外側部１３に沿って排水路１４が設けられており、該単位水田１１内の貯留水１５が、前の畦部６に設けた排水部１６より該排水路１４に排水されるようになされている。以下、これをより具体的に説明する。
【００２０】
本実施例において前記水田５は、前後に配設された前記第１の畦部６，７間の間隔が１００ｍに設定されると共に左右に配設された前記第２の畦部９，１０間の間隔が３０ｍに設定されており、従って前記単位水田１１は、その前後の畦部６，７間の間隔が１００ｍであり、左右の畦部９，１０間の間隔が３０ｍである。前記水田５の底部分１７は、図５〜６、図８〜９に示すように、稲を生育させるための作土層１９の下側に、透水しにくい粘土層からなる鋤床層２０が設けられている。そしてその下層は地山１８であり、透水性の高い地層であることが多い。
【００２１】
又、各単位水田１１の後部、本実施例においては前記後の畦部７の左右方向の中央部位に、図１〜２に示すように前記給水制御装置１２が設けられている。該給水制御装置１２は、本実施例においては、水田に給水するために水田の後の第１の畦２ｂの後側においてその長さ方向に埋設状態に配設された農業用水パイプライン２１の分岐管２１ａに接続された節水型の半自動給水栓バルブを具えている。該半自動給水栓バルブは、単位水田１１への必要な供給水量を、手動でダイヤルを回して目盛りセットしたり、手動でデジタル入力する等してセットした後にバルブを開放すると給水が開始されるようになされ、セットした水量を給水後に該バルブが自動閉止するようになされている。そして該バルブは、農業用水パイプラインの水圧が低くても機能できるように構成されている。又、稲作シーズンの始めからの総供給水量を積算し得る供給水量積算装置を具備しており、これによって、水田への無駄な給水を防止でき、水田への給水制御をより効率的にしかも的確に行ない得ることとなる。
【００２２】
前記排水路１４は、図１、図３、図５、図８に示すように、前に位置する前記第１の畦２ａの外側部１３に沿って設けられており、該排水路１４の水路底部２３は地盤２６に開放状態とされている。本実施例においては、該水路底部２３の一種である水路底面２３ａが、前記単位水田１１の前記鋤床層２０の上端２４よりも９０ｃｍ程度下方に位置されており、該水路底面２３ａは該地盤２６に開放状態とされている。
【００２３】
該排水路１４は、本実施例においては図５に示すように、下側のコンクリート水路１４ａと、その上側に位置し且つその水路幅が上方に向けて拡大する土水路１４ｂとを組み合わせて構成しているが、全体を土水路にすると、排水路の底部分が崩れて水路断面を保持できなくなるので、下側をコンクリート水路１４ａとしているのである。そして、該コンクリート水路１４ａの深さを６０ｃｍ程度とし、該土水路１４ｂの深さは６５ｃｍ程度とし、従って、排水路１４の深さ（前の畦部６の上面２４と前記コンクリート水路１４ａの水路底面２３との間の距離）は１２５ｃｍ程度としている。該排水路１４の水路断面の大きさは、施工時における降雨状態を考慮して設計されており、該排水路１４の水は、通常は前記コンクリート水路１４ａを流れ、大雨時には前記土水路１４ｂにも流れるようにように設計されている。
【００２４】
該コンクリート水路１４ａは、本実施例においては、湖沼等の魚類を前記水田５に遡上可能とする魚道２５を兼ねて構成されている。該コンクリート水路１４ａの具体的構成を説明すれば、図８、図１０に示すように、掘削部２７の底面２９に、水路幅方向に長い角棒状に形成された底板部材３０の両端で立上がり片３１，３１を立設してなるコ字状支持枠３２を所要間隔（例えば１ｍ程度の間隔）を置いて並設すると共に、排水路１４の長さ方向で隣り合う立上がり片３１，３１間で側板３３を複数段に、例えば２段に支持させて構成されており、複数段に支持された該側板３３によって水路壁３５が形成されている。かかる排水路１４にあっては、その水路底面２３ａが、隣り合う底板部材３０，３０間で地盤２６に開放している。本実施例においては、前記コ字状支持枠３２の前記底板部材３０の水平長さは７０ｃｍに形成されると共に、前記立上がり片３１の上下長さは６０ｃｍに形成されており、該底板部材３０の両端部分は該立上がり片３１の外方に稍突出しており、該突出部分３７，３７の上面３９，３９で、前記側板３３が下方から支持されるようになされている。又、前記土水路１４ｂの上端幅（図８で一点鎖線で示す上端幅）は２７０ｃｍ程度に設定されている。
【００２５】
そして前記コンクリート水路１４ａには、図１１〜１２に示すように、排水路１４の長さ方向に所要間隔を置いて堰上げ板４１が取り付けられており、隣り合う堰上げ板４１，４１間の貯水４２の水面４３が、図５、図８に示すように、前記鋤床層２０の下端４５よりも上方に存するように該堰上げ板４１で堰上げされる。そして、該堰上げ板４１の上縁をなす越流部４６（図１１〜１２）で水が下流側に越流するようになされ、該越流部４６が、下流側の水位に対して魚類が遡上可能な高さ（例えば５０〜１５０ｍｍ）に設定されている。本実施例において該堰上げ板４１は、図１１〜１２に示すように、その両側の縁部分４７，４７が、該コンクリート水路１４ａを構成する前記コ字状支持枠３２の上流側の側面４９に当接状態に固定されることによりに配設されている。
【００２６】
又前記排水部１６は、収穫前の中干しに際して単位水田１１内の貯留水１５を排水路１４に排出する必要から設けられるのであるが、本実施例においては、前記排水路１４から単位水田１１に魚類を遡上可能とする魚道５０を兼ねて構成されている。
【００２７】
該魚道５０は図３、図５〜７に示すように、前記単位水田１１と前記排水路１４との間をなす前の畦部６を傾斜状態に掘削すると共に該掘削部に、水路上流端５２が単位水田１１に連通すると共に水路下流端５３がコンクリート水路１４ａに連通するＵ字状の水路部材５５を傾斜状態に敷設すると共に、該水路部材５５の水路５６に、水路水を嵩上げする堰板５７の複数枚（本実施例においては６枚）を上下所要間隔で着脱可能に装着した構成を有している。該水路下流端５３は、前記コンクリート水路１４ａの前記水路壁３５を切欠して形成した接続開口５９に連設されており、最下段の堰板５７ａは、該水路下流端部分に装着されており、該堰板５７ａの上縁をなす越流部６０（図５、図７）は、前記コンクリート水路１４ａの水路壁３５の上端６１の稍下側に位置されている。又、最上段の堰板５７ｂは、該水路上流端部分に装着されており、該堰板５７ｂの上縁をなす越流部６０（図５、図６）は、前記単位水田１１の最大水深にある前記貯留水１５の水面６３の高さに設定されている。
【００２８】
そのために、図３に示すように、該水路部材５５の対向した側壁部６５，６５の内面６６，６６に対向状態に設けられた上端開放の嵌入溝６７，６７の組を該水路５６の長さ方向に３０ｃｍ程度の間隔で６組設けてなる。そして図３（Ｂ）に示すように、該対向する嵌入溝６７，６７の夫々に、堰板５７の両端縁部分６９，６９が嵌め入れられて前記魚道５０が構成されている。そして、最上段の堰板５７ｂの上縁をなす越流部６０と、最下段の堰板５７ａの上縁をなす越流部６０は水平に形成されている。又、２段目の堰板５７ｃ、３段目の堰板５７ｄ、４段目の堰板５７ｅは、上縁一端５４から上縁他端７１に向けて下向きに傾斜する越流部６０が設けられてなり、各堰板５７の越流部６０が、下流側の水面７３ａ，７３ｂ，７３ｃ，７３ｄ，７３ｅ，７３ｆ（図５）に対して魚類が遡上可能な高さに設定されている。
【００２９】
図３は、降雨時に、単位水田１１の貯留水１５が、前記越流部６０を蛇行状態に流下している状態を示すものであり、魚類は、該越流部６０を排水路１４から水田５に向けて遡上できる。
【００３０】
収穫前に単位水田１１の貯留水１５を排出して中干しする際は、水田の貯留水を、前記排水部１６としての水路部材５５を通して排水路１４に排水させることができるように、上段側に存する１枚乃至２枚の堰板５７を前記水路部材５５から取り外す。
【００３１】
又前記止水面部８は、図９に示すように、前記単位水田１１における前記前の畦部６の内側部４に、その全長に亘る如く、下端側の部分７５が該単位水田１１の前記鋤床層２０に例えば５ｃｍ程度埋設状態となるように、前の畦部６の上端側７６から鋤床層２０の内部に亘って略垂直状態に設けられると共に、該止水面部８の上側部分７７は、前記前の畦部６の内面７９を覆っている。本実施例においては、該上端側７６を、前の畦部６の上端８０の稍下側の部分（例えば５ｃｍ程度、下側の部分）に設定している。該止水面部８の上端８１は、前の畦部６の上端８０に合致させてもよいのであるが、本実施例においては、畦部６の上面部分を草刈機で除草する際に、止水面部８の上部分が草刈りカッターで損傷されないようにするため、該上端８１を、前の畦部６の上端８０の稍下側部位に位置させているのである。該上側部分７７は、少なくとも、前記貯留水１５の最大水深の水面６３よりも上の部分を覆うように設けられる。
【００３２】
該止水面部８は、本実施例においては、図４、図１３に示すような、板状の止水パネル８２と杭部材８３とを用い、該止水パネル８２を該杭部材８３を介して連結することにより構成されている。該止水パネル８２と杭部材８３は、例えば高強度で高耐久性のセメント系繊維補強モルタル製である。該止水パネル８２は横長矩形板状をなし、その下端部分８５は、水田側が切欠されることによってくさび状に形成されている。該止水パネル８２の各部の寸法を例示すれば、水平方向の長さが１００ｃｍで上下高さが３５ｃｍ、厚さが１ｃｍである。かかる構成を有する止水パネル８２を連結する前記杭部材８３は、上下に長く形成され且つ両側面に、該止水パネル８２の左右の端縁部分８６，８６を嵌め入れる嵌入溝部８７，８７が設けられており、その全長は４５ｃｍに設定されている。
【００３３】
然して、該杭部材８３と該止水パネル８２とを用いて前記止水面部８を構成するに際しては、例えば図１４に示すように、前記前の畦部６の垂直な内面７９の下端８９の畦際部分（田面部分）の土を、前記作土層１９をなす約１５ｃｍ程度の深さで除去し、畦際部分に作業用の窪み部９０を形成する。その後、該杭部材８３の下端側部分９１の例えば１５ｃｍ程度の長さ部分８８を、図１４に示すように、前記垂直な内面７９の下端側で前記鋤床層２０に打ち込む。このとき、杭上端９２は前の畦部６の上端８０の稍下側の部分に位置される。例えば、該上端８０の５ｃｍ程度、下側の部分に位置させる。このようにしたとき、該杭上端９２は、例えば図６に示すように、単位水田１１の最大水深にある前記貯留水１５の水面６３よりも５ｃｍ程度上に位置される。
【００３４】
このようにして所要間隔を置いて立設された杭部材８３，８３の左右対向する嵌入溝部８７，８７（図１３、図１４）の上端に前記止水パネル８２の下端部分の左右の端部分９３，９３を挿入した状態で該止水パネル８２を落とし込む。その後、該止水パネル８２の上端９５を叩く等して該止水パネル８２の下端側の部分７５の５〜１０ｃｍ程度の長さ部分（本実施例においては５ｃｍ程度の長さ部分）を、図１５に示すように、前記垂直な内面７９の下端で前記鋤床層２０に打ち込む。前記のように、止水パネル８２の下端部分８５がくさび状に形成されているため、打ち込みの容易化が図られる。これによって、図４に示すように、該止水パネル８２は前記杭部材８３に安定状態で支持される。同様の要領によって、前記杭部材８３を所要間隔を隔てて順次打ち込みながら、左右対向する嵌入溝部８７，８７間に前記止水パネル８２を取り付けていく。その後、前記窪み部９０に、前記除去した土を埋め戻す。これにより、図９に示すような、下端側の部分７５の５ｃｍ程度が鋤床層２０に埋設状態となった、止水性に優れる前記止水面部８が構成されることになる。なお該止水面部８は、図４に示すように、前記排水部１６を形成するように途切れ状態に設けられるが、そのために、図４に示すように、該排水部１６の上端の両側で前記杭部材８３，８３を打ち込む。
【００３５】
このような構成を有する水田の節水型漏水防止構造１によるときは、前記のように、前記止水面部８が、前記前の畦部６の上端８０の稍下側の部分から、透水しにくい前記鋤床層２０内に亘って配設されているため、単位水田１１内の貯留水１５が前記前の畦部６を透水して排水路１４等に漏水するのを防止できる。又、モグラやザリガニ等の小動物が前の畦部６に明けた孔部から排水路１４等に漏水するのを効果的に防止できる。又、該止水面部８の下端側の部分７５が前記鋤床層２０に埋設されているため、前の畦部６と田面９７（前記作土層１９の上面）との境界部分９８（図９）から排水路１４に漏水するのを防止できる。これに対して前記鋤床層２０は、透水しにくいものではあるが、貯留水１５が該鋤床層２０を透水して前記排水路１４やその周辺に漏水することは避けられない。
【００３６】
そこで本発明においては、図５に示すように、前の畦部６の外側部１３に沿って設けた排水路１４の貯水４２の水面４３が、前記堰上げ板４１（図１１〜１２）によって、前記鋤床層２０の下端（例えば、鋤床層２０の上端２４から３０〜３５ｃｍ程度下方の端）４５よりも上方に存するように堰上げしている。該水面４３と該下端４５の高低差を図７においてＬで示している。単位水田１１の前記所定水位（最大水位）にある前記貯留水１５の水面６３と、排水路１４の貯水４２の水面４３との間の距離が小さいほど前記鋤床層２０における透水による漏水をより良好に抑制できる。但し大雨時にも、排水路１４から単位水田１１に水が逆流することなく排水路１４で排水できる余裕がなければならない。そのため、該水面４３の高さは、単位水田１１の前記水面６３よりも下に存するように設定される。
【００３７】
図５においては、前記鋤床層２０の下端４５の稍上方部位に設定しているが、前記単位水田１１の前記鋤床層２０の上端２４の高さ程度に設定すると、より好ましい。そして、該排水路１４の水路底面２３ａは地盤２６に開放され、単位水田１１と前記排水路１４とが、前記鋤床層２０の下端４５の下側部分をなす透水層１０２を介して通水状態にあるため、該排水路１４における、隣り合う堰上げ板４１，４１間の貯水４２の圧力ヘッドによって、単位水田１１内の貯留水１５が前記鋤床層２０を透水して排水路１４等に漏水するのが抑制されることとなる。
【００３８】
この漏水抑制作用について付言すれば、前記のように、透水しにくい粘土層からなる前記鋤床層２０の下は地山１８（図５）であり透水性の高い地層である場合が多い。そして、水田の水が漏水する場合は、該鋤床層２０内を水平に透水して排水路１４等に漏水することは少なく、下方に浸透して地山へ漏水しやすい。かかることから、少なくとも、地山１８より高い位置まで排水路１４に貯水４２が確保されていれば、貯留水１５が、地山１８に透水して排水路１４等に漏水するのを抑制できると言うことである。
【００３９】
このような、排水路１４における圧力ヘッドによる漏水防止作用と、前記止水面部８による、前記前の畦部６を通じての漏水防止作用と、前記前の畦部６と単位水田１１の田面９７との境界部分９８を通じての漏水防止作用とが相俟って、水田５の貯留水１５の漏水が抑制されることになるのである。
【００４０】
このようにして水田５の貯留水の漏水が抑制されるのであるが、前記貯留水１５の一部は、前記鋤床層２０を透水して排水路１４内に流入するのは避けられない。その結果、前記貯水４２に、該流入した漏水に含まれているチッソやリン等の肥料成分や農薬が混入することになるが、これらの多くの部分を、前記堰上げ板４１，４１間の排水路区画部分１０３の底部１０５（図１２）に沈殿させることができる。
【００４１】
若しも排水路１４に堰上げ板４１が取り付けられていないとすれば、該排水路１４内に流入した漏水に含まれていたチッソやリン等の肥料成分や農薬が、排水路１４の流水によって下流に運ばれ、その下流側の湖沼等において水質汚染等の環境汚染を引き起こすことになる。本発明においては、このようにチッソやリン等の肥料成分や農薬を排水路区画部分１０３の底部１０５に沈殿させることができるため、この沈殿物を定期的に除去することにより、これらの含有量の少ない上水を下流に流すことができ、かかる環境汚染の問題を低減させ得ることとなるのである。
【００４２】
又、このように貯留水の漏水を抑制できることから、前記給水制御装置１２による各単位水田１１への補給水量を減少させて水資源の有効活用が図られることともなる。なお図４に示すように、前記止水面部８の内側の面１０６に、貯留水の水深目盛１０７を付しておくときは、単位水田１１の前記所定水深と貯留水１５の水深との差を読み取ることにより、必要な補給水量が簡易に分かるため、前記半自動給水栓バルブに付設されているダイヤルを回す等して、必要な補給水量のセットを簡易且つ確実に行い得ることとなる。なお図４においては、単位水田１１の所定水深を１０ｃｍに設定することとし、２ｃｍ刻みで水深８ｃｍ、水深６ｃｍ、水深４ｃｍの水深目刻１０７を付している。
【００４３】
ところで、前記堰上げ板４１の配置間隔は、前記前の畦部６の長さ方向で見た前記水田５の勾配に合わせて所要に設定されるものであり、少なくとも単位水田１１に関しては、隣り合う堰上げ板４１，４１間の貯水４２の水面４３が、該単位水田１１の鋤床層２０の下端４５よりも上方に存するように設定している。そのため、前記勾配が比較的大きい場合は、図１６に示すように、前記前の畦部６の長さ方向の両端側に堰上げ板４１，４１が配設されることもあるが、前記勾配が比較的小さい場合は、図１に示すように、前の第１の畦部２ａに沿って並置された複数の単位水田１１の、該第１の畦２ａの延長方向で見た両端側に堰上げ板４１，４１が配設されることもある。又、前記勾配の大きさの程度によっては、図１７に示すように、前の畦部６の長さ方向の中間部位で堰上げ板４１が配設されることもある。
【００４４】
そして本実施例においては、該排水路１４と前記排水部１６に、魚道としての機能を付加しているため、鮒や鯉、鯰等の魚類を河川や湖沼等から該排水路１４に進入させ、前記堰上げ板４１の前記越流部４６を順に遡上させて前記排水部１６が存する場所に至らせることができ、その後、前記堰板５７の前記越流部６０を順に遡上させて単位水田１１に至らせることができる。かかることから、該単位水田１１を、魚類の産卵、繁殖育成の場としても活用できることともなり、自然と共生した稲作を展開できることになる。
【実施例２】
【００４５】
本発明は、前記実施例で示したもの限定されるものでは決してなく、「特許請求の範囲」の記載内で種々の設計変更が可能であることはいうまでもない。その一例を挙げれば次のようである。
【００４６】
(1) 前記止水面部８は、前記単位水田１１における前の畦部６の内側部４に、その全長に亘る如く、該単位水田１１の作土層１９の下側に存する鋤床層２０に下端側の部分が埋設状態となるように設けられればよいのであり、例えば、樹脂板や樹脂シートを用いて構成することもできる。又、前に位置する第１の畦２が図１８に示すようにコンクリート製とされたときは、該止水面部８は、前の畦部６の内面１０９として構成されることもある。又該止水面部８は、図１９〜２０に示すように、前の畦部６の上面部１１０と内側部１１１とを覆うように構成された畦カバー１１２の該内側部１１１を覆う面部１１３として構成されることもある。
【００４７】
(2) 本発明において、排水路１４の水路底部２３が地盤２６に開放状態とされるとは、前記のように、該排水路１４の水路底面２３ａが地盤２６に開放状態とされることの他、図２１に示すように、該排水路１４の水路壁３５の下側部分に設けた開口１１５で地盤に開放状態とされることもある。又、該排水路１４が、全体がポーラスコンクリート製とされたときは、その底面部や側面部で地盤に開放状態とされることになる。要は、該排水路１４が、その貯水４２の水面４３より下側部分で地盤に開放状態とされればよい。
【００４８】
(3) 前記給水制御装置１２は、前記した半自動に構成されることの他、完全手動でバルブの開閉を行なうように構成されることもあり、水位センサーで単位水田の水位を検知し、その検知信号でバルブの開閉を自動で行なうように構成されることもある。
【００４９】
(4) 図２２は、前記コンクリート水路１４ａに堰上げ板４１を設けることに加えて、前記土水路１４ｂにも堰上げ板４１ａを着脱可能に設けた場合を示すものである。そのために同図においては、前記コンクリート水路１４ａに付設した前記堰上げ板４１の上面１１６に上の堰上げ板４１ａが載置された状態となるように、該上の堰上げ板４１ａの両側部分１１７，１１７を嵌め入れるためのガイド溝１１９，１１９が上下方向で設けられてなるガイド支柱部１２０，１２０を、土水路１４ｂの内面カバーコンクリート部１２１で、立設状態に設けている。
【図面の簡単な説明】
【００５０】
【図１】本発明に係る水田の節水型漏水防止構造を説明する平面図である。
【図２】水田に設けられた給水制御装置を説明する説明図である。
【図３】魚道機能を有する排水路と排水部の構成を説明する斜視図である。
【図４】前の畦部の内側部に設けられた止水面部と排水部の、上端側の構成を説明する斜視図である。
【図５】魚道機能を有する排水路と排水部の構成を説明する断面図である。
【図６】排水部の水路上流端側部分の構成を拡大して示す断面図である。
【図７】排水部の水路下流端側部分の構成を拡大して示す断面図である。
【図８】水田の鋤床層の下端と排水路の水面との位置関係を説明する断面図である。
【図９】止水面部の構成とその作用を説明する断面図である。
【図１０】排水路の構成を説明する一部欠切斜視図である。
【図１１】堰上げ板によって堰上げされた排水路の水の流れ状態を説明する斜視図である。
【図１２】その断面図である。
【図１３】止水面部を構成する止水パネルと杭部材を示す斜視図である。
【図１４】止水パネルと杭部材とを用いて止水面部を形成する作業工程を説明する断面図である。
【図１５】止水パネルを打ち込んだ状態を示す断面図である。
【図１６】排水路における堰上げ板の配置状態の他の態様を示す平面図である。
【図１７】排水路における堰上げ板のその他の配置状態を示す平面図である。
【図１８】コンクリート製の第１の畦によって形成された止水面部を示す断面図である。
【図１９】畦カバーを用いて形成された止水面部を示す断面図である。
【図２０】畦カバーを用いて形成された止水面部の他の態様を示す断面図である。
【図２１】排水路の他の態様を示す断面図である。
【図２２】土水路にも堰上げ板を設ける実施例を説明する斜視図である。
【図２３】従来における水田の漏水防止構造を説明する断面図である。
【符号の説明】
【００５１】
１  水田の節水型漏水防止構造
２  第１の畦
３  第２の畦
６  前の畦部
７  後の畦部
９  左の畦部
１０  右の畦部
１１  単位水田
１２  給水制御装置
１４  排水路
１５  貯留水
１６  排水部
１７  水田の底部分
１９  作土層
２０  鋤床層
２１  農業用水パイプライン
２３  排水路の水路底部
２５  魚道
２６  地盤
３５  水路壁
４１  堰上げ板
４２  貯水
４３  貯水の水面
４５  鋤床層の下端
４６  越流部
５０  魚道
５７  堰板
６０  越流部
６３  貯留水の水面
８２  止水パネル
８３  杭部材
１０７  水深目盛り
【図１】
0004611366.tif 000002
【図２】
0004611366.tif 000003
【図３】
0004611366.tif 000004
【図４】
0004611366.tif 000005
【図５】
0004611366.tif 000006
【図６】
0004611366.tif 000007
【図７】
0004611366.tif 000008
【図８】
0004611366.tif 000009
【図９】
0004611366.tif 000010
【図１０】
0004611366.tif 000011
【図１１】
0004611366.tif 000012
【図１２】
0004611366.tif 000013
【図１３】
0004611366.tif 000014
【図１４】
0004611366.tif 000015
【図１５】
0004611366.tif 000016
【図１６】
0004611366.tif 000017
【図１７】
0004611366.tif 000018
【図１８】
0004611366.tif 000019
【図１９】
0004611366.tif 000020
【図２０】
0004611366.tif 000021
【図２１】
0004611366.tif 000022
【図２２】
0004611366.tif 000023
【図２３】
0004611366.tif 000024